(57)【要約】【課題】商品補充の作業を簡易なものとすること。【解決手段】前面開口１１及び後面開口１２を有するケース本体１０と、ケース本体１０の内部に画成され、商品を収納する収納室２０とを備え、前面開口１１を通じて収納室２０が店舗内売場２に連通し、かつ後面開口１２を通じて収納室２０が店舗内倉庫３に連通する態様で設置されたショーケースにおいて、後面開口１２を開閉する態様で設けられ、かつ自身に形成された開口部４１４がハーフミラー部材４２により閉塞された後面扉４０を備えている。ハーフミラー部材４２は、開口部４１４を閉塞し、かつ光透過性を有する面材４２１と、面材４２１の前面を覆うように形成されたハーフミラー面４２２とを備えることが好ましい。【選択図】図３
2019216877.tif 000002
【特許請求の範囲】
【請求項１】
前面及び後面に開口を有するケース本体と、
前記ケース本体の内部に画成され、商品を収納する収納室と
を備え、
前面の開口を通じて前記収納室が店舗内売場に連通し、かつ後面の開口を通じて前記収納室が店舗内倉庫に連通する態様で設置されたショーケースにおいて、
後面の開口を開閉する態様で設けられ、かつ自身に形成された開口部がハーフミラー部材により閉塞された扉体を備えたことを特徴とするショーケース。
【請求項２】
前記ハーフミラー部材は、
前記開口部を閉塞し、かつ光透過性を有する面材と、
前記面材の前面を覆うように形成されたハーフミラー面と
を備えたことを特徴とする請求項１に記載のショーケース。
【請求項３】
前記収納室の内部を内蔵する光源で照射する照明装置を備えたことを特徴とする請求項１又は請求項２に記載のショーケース。
【発明の詳細な説明】
【技術分野】
【０００１】
本発明は、ショーケースに関し、より詳細には、例えばコンビニエンスストアやスーパーマーケット等の店舗に設置されるショーケースの改良に関するものである。
【背景技術】
【０００２】
従来、例えばコンビニエンスストアやスーパーマーケット等の店舗に設置されるショーケースとして、前面及び後面に開口を有した筐体であるケース本体を備え、該ケース本体の内部に商品を収納するための収納室が画成されたものが知られている。
【０００３】
そのようなショーケースでは、前面の開口（以下、前面開口ともいう）を通じて収納室が店舗内売場を臨み、後面の開口（以下、後面開口ともいう）を通じて収納室が店舗内倉庫（バックヤード）を臨む態様で設置されている。そして、後面開口は、カーテンにより開閉されるものであり、常態においては、カーテンにより閉塞されて、顧客から店舗内倉庫の内部が視認できないようにしている。
【０００４】
かかるショーケースにおいては、収納室の商品は前面開口を通じて顧客により取り出される一方、店舗従業員等の作業者によりカーテンをスライドさせて後面開口が開放されることにより、店舗内倉庫にある商品が収納室に補充されることになる（例えば、特許文献１参照）。
【先行技術文献】
【特許文献】
【０００５】
【特許文献１】特開平８−１４５５３３号公報
【発明の概要】
【発明が解決しようとする課題】
【０００６】
ところで、上述したショーケースでは、後面開口がカーテンにより開閉されるものであるために、次のような問題があった。
【０００７】
後面開口がカーテンにより開閉され、かつ常態においてはカーテンにより閉塞されているため、店舗従業員等の作業者は、店舗内倉庫から収納室の内部を視認することができなかった。そのため、収納室の商品残量を確認するためにその都度カーテンをスライドさせる必要があり、商品補充の作業が煩雑なものとなっていた。商品補充の作業の間、継続的に後面開口を開放させておくことも考えられるが、それでは店舗内倉庫の内部が一定時間継続して露出されることとなり、販売サービスの面で好ましいものではない。
【０００８】
本発明は、上記実情に鑑みて、商品補充の作業を簡易なものとすることができるショーケースを提供することを目的とする。
【課題を解決するための手段】
【０００９】
上記目的を達成するために、本発明に係るショーケースは、前面及び後面に開口を有するケース本体と、前記ケース本体の内部に画成され、商品を収納する収納室とを備え、前面の開口を通じて前記収納室が店舗内売場に連通し、かつ後面の開口を通じて前記収納室が店舗内倉庫に連通する態様で設置されたショーケースにおいて、後面の開口を開閉する態様で設けられ、かつ自身に形成された開口部がハーフミラー部材により閉塞された扉体を備えたことを特徴とする。
【００１０】
また本発明は、上記ショーケースにおいて、前記ハーフミラー部材は、前記開口部を閉塞し、かつ光透過性を有する面材と、前記面材の前面を覆うように形成されたハーフミラー面とを備えたことを特徴とする。
【００１１】
また本発明は、上記ショーケースにおいて、前記収納室の内部を内蔵する光源で照射する照明装置を備えたことを特徴とする。
【発明の効果】
【００１２】
本発明によれば、収納室が、前面の開口を通じて店舗内売場に連通し、後面の開口を通じて店舗内倉庫に連通しており、後面の開口を開閉する扉体が、ハーフミラー部材により開口部が閉塞されて構成されているので、収納室の光をハーフミラー部材が反射することによって該ハーフミラー部材が鏡として作用し、扉体が後面の開口を閉成する場合には顧客が店舗内倉庫を視認することを抑制することができる。その一方、店舗内倉庫にいる従業員からは、ハーフミラー部材を透過する光線により収納室の内部を視認することができる。そのため、従業員が収納室の商品残量を確認する場合にも後面の開口を開成させる必要がない。よって、商品を補充する場合のみ後面の開口を開成させればよく、商品補充の作業を効率よく簡易なものとすることができるという効果を奏する。
【図面の簡単な説明】
【００１３】
【図１】図１は、本発明の実施の形態であるショーケースを模式的に示す断面側面図である。
【図２】図２は、図１に示したショーケースを示す背面図である。
【図３】図３は、図１及び図２に示した後面開口及び後面扉を示す斜視図である。
【図４】図４は、図１及び図２に示した後面開口及び後面扉を示す斜視図である。
【図５】図５は、図３及び図４に示したハーフミラー部材の拡大縦断面図である。
【図６】図６は、本発明の実施の形態であるショーケースの変形例の要部を示す斜視図である。
【発明を実施するための形態】
【００１４】
以下に添付図面を参照して、本発明に係るショーケースの好適な実施の形態について詳細に説明する。
【００１５】
図１は、本発明の実施の形態であるショーケースを模式的に示す断面側面図であり、図２は、図１に示したショーケースを示す背面図である。ここで例示するショーケースは、例えばコンビニエンスストア等の店舗１に設置されるもので、ケース本体１０を備えている。
【００１６】
ケース本体１０は、前面に開口（以下、前面開口ともいう）１１が形成されるとともに、後面に開口（以下、後面開口ともいう）１２が形成された断熱筐体であり、収納室２０、通風路３０及び後面扉（扉体）４０が設けてある。
【００１７】
収納室２０は、前面開口１１及び後面開口１２を臨む態様でケース本体１０の内部に画成してある。この収納室２０には、複数の商品載置棚２１が上下方向に沿って複数段設けてある。これら商品載置棚２１は、従来公知のものであり、ケース本体１０の内部における後方側に立設された棚支柱２２に対して前方に向けて延在する態様で取り付けられた左右一対のブラケット部材２３に、棚板２４が架設されることにより構成してある。この棚板２４は、略平板状の形態を成しており、上面が商品を載置する載置面を構成している。
【００１８】
そのような収納室２０が画成されたケース本体１０は、前面開口１１を通じて収納室２０が店舗１における店舗内売場２に連通するとともに、後面開口１２を通じて収納室２０が店舗１における店舗内倉庫（バックヤード）３に連通する態様で設置してある。
【００１９】
ここで店舗内売場２は、店舗１の顧客が進入可能な領域であり、商品を選択して購入するものである。店舗内倉庫３は、店舗内売場２とは区画されており、店舗１の従業員が進入可能な領域である。かかる店舗内倉庫３は、図示せぬ空調装置により内部雰囲気が十分に冷却されており、店舗内売場２に比べて照明が暗くなっている。
【００２０】
そして、収納室２０には照明装置２５が設けてある。照明装置２５は、収納室２０の前方上部に図示せぬ取付部材を介して取り付けられている。この照明装置２５は、例えばＬＥＤ等の光源２５ａを内蔵しており、該光源２５ａが点灯することにより、収納室２０の内部を照射するものである。
【００２１】
通風路３０は、収納室２０の下方側に配置された下側通風路３１と、収納室２０の上方側に配置された上側通風路３２とを備えて構成してある。
【００２２】
下側通風路３１は、収納室２０の前方下部に開口する吸込口２６に連通するとともに、後端部に形成された下側後端開口３１ａを通じて店舗内倉庫３に連通している。この下側通風路３１には、下部ファン３３が設置してある。下部ファン３３は、駆動することにより、吸込口２６を通じて空気を下側通風路３１に吸い込み、該下側通風路３１を通過した空気を店舗内倉庫３に送出するためのものである。
【００２３】
上側通風路３２は、収納室２０の前方上部に開口する吹出口２７に連通するとともに、後端部に形成された上側後端開口３２ａを通じて店舗内倉庫３に連通している。この上側通風路３２には、上部ファン３４及び蒸発器３５が設置してある。上部ファン３４は、駆動することにより、上側後端開口３２ａを通じて店舗内倉庫３の空気を上側通風路３２に導入し、該上側通風路３２を通過した空気を吹出口２７より収納室２０に吹き出させるものである。
【００２４】
蒸発器３５は、図示せぬ圧縮機、凝縮器及び膨張機構と冷媒管路で接続されて冷媒を循環させる冷凍サイクルを構成している。圧縮機は、冷媒を圧縮するものであり、凝縮器は、圧縮機で圧縮された冷媒を凝縮させて放熱させるものである。膨張機構は、凝縮器で凝縮した冷媒を断熱膨張させて低温低圧の状態にさせるものである。この蒸発器３５は、上側通風路３２を通過する空気と、膨張機構で低温低圧の状態にされた冷媒とを熱交換させるもの、より詳細には、低温低圧の冷媒を蒸発させることにより上側通風路３２を通過する空気を冷却するものである。この蒸発器３５で蒸発した冷媒は、圧縮機に吸引されて冷凍サイクルを循環することになる。
【００２５】
そのようなショーケースにおいては、下部ファン３３及び上部ファン３４が駆動することにより、収納室２０の内部の空気が吸込口２６を通じて下側通風路３１に吸い込まれ、店舗内倉庫３、上側通風路３２の順に通過する。そして、上側通風路３２の通過途中で蒸発器３５により冷却されて吹出口２７より収納室２０に吹き出される。  
【００２６】
これにより、収納室２０の前方領域（前面開口１１の近傍）では、吹出口２７から吹き出された空気が吸込口２６に吸い込まれることによりエアカーテンが形成される。また収納室２０及び店舗内倉庫３が所望の温度に冷却されることにより、商品載置棚２１に載置された商品が冷却されることになる。また図には明示しないが、店舗内倉庫３に保管された補充商品も冷却されることになる。
【００２７】
上記後面開口１２は、図３及び図４に示すように、ケース本体１０の後面に設置された枠体１３により形成されるものである。枠体１３は、上枠１３１、下枠１３２及び左右一対の縦枠１３３を四周枠組みすることにより構成され、これらに囲繞される態様で矩形状の後面開口１２を形成している。
【００２８】
後面扉４０は、複数（図示の例では２つ）設けてある。各後面扉４０は、上框４１１、下框４１２及び左右一対の縦框４１３を四周框組みすることによって形成された框体４１の矩形状の開口部４１４に、平板状のハーフミラー部材４２が閉塞されることにより構成してある。
【００２９】
ここで、ハーフミラー部材４２は、図５に拡大して示すように、開口部４１４を閉塞し、かつ例えば透明なガラス板のような光透過性を有する面材（以下、光透過性面材ともいう）４２１と、該光透過性面材４２１の前面を被覆する態様で設けられ、光線透過率が１０〜２０％程度の金属製反射膜により形成されるハーフミラー面４２２とを備えて構成してある。
【００３０】
それら後面扉４０は、一方が前方側、他方が後方側となる態様で、枠体１３に左右方向にスライド可能に形成されたいわゆる引き戸である。つまり、前方側の後面扉４０の左側の縦框４１３が左側の縦枠１３３に当接し、後方側の後面扉４０の右側の縦框４１３が右側の縦枠１３３に当接する場合、それら後面扉４０は、一部が互いに重なり合った状態で後面開口１２を閉成する。そして、そのように後面開口１２を閉成した状態から一方の後面扉４０をスライドさせることにより、該後面開口１２を開成することができる。かかる後面扉４０は、常態においては、後面開口１２を閉成している。
【００３１】
以上のような構成を有するショーケースにおいては、収納室２０が、前面開口１１を通じて店舗内売場２に連通し、後面開口１２を通じて店舗内売場２よりも照明が暗い店舗内倉庫３に連通しており、後面開口１２を開閉する後面扉４０が、ハーフミラー部材４２により開口部４１４が閉塞されて構成されているので、収納室２０の光をハーフミラー部材４２が反射することによって該ハーフミラー部材４２が鏡として作用し、後面扉４０が後面開口１２を閉成する場合には顧客が店舗内倉庫３を視認することを抑制することができる。その一方、店舗内倉庫３にいる従業員からは、ハーフミラー部材４２を透過する光線により収納室２０の内部を視認することができる。
【００３２】
そのため、従業員が収納室２０の商品残量を確認する場合にも後面扉４０をスライドさせて後面開口１２を開成させる必要がない。よって、商品を補充する場合のみ後面開口１２を開成させればよく、商品補充の作業を効率よく簡易なものとすることができる。
【００３３】
上記ショーケースによれば、ハーフミラー部材４２は、開口部４１４を閉塞する光透過性面材４２１の前面をハーフミラー面４２２が被覆する態様で設けられて構成してあるので、ハーフミラー面４２２が店舗内倉庫３からの補充商品等で損傷してしまうことを防止することができる。
【００３４】
上記ショーケースによれば、収納室２０の内部を照射する照明装置２５が収納室２０に設けてあるので、かかる照明装置２５による照射により、収納室２０と店舗内倉庫３との明暗差をより大きくすることができ、ハーフミラー部材４２が鏡としての作用をより顕著に発揮することができる。
【００３５】
以上、本発明の好適な実施の形態について説明したが、本発明はこれに限定されるものではなく、種々の変更を行うことができる。
【００３６】
上述した実施の形態では述べていないが、図６に示すように、棚支柱２２の左右両側面、並びに該側面に対向する面に、複数の係止孔５１が形成された支持部材５０を設置し、互いに対向する支持部材５０間に、補充商品を載置させるための補充棚５２を架設してもよい。
【００３７】
これによれば、商品の補充作業を行う際に、補充商品を一時的に補充棚５２に載置して、各商品載置棚２１に商品を補充させることができ、後面扉４０と商品載置棚２１との間のスペースを有効に活用することができる。
【００３８】
上述した実施の形態では述べていないが、各商品載置棚２１の後端部分には、載置する商品の写真、あるいは商品の種類が記載されたシートを取り付けるホルダが設けられていてもよい。
【００３９】
これによれば、店舗内倉庫３から従業員が商品を補充する際、該ホルダに取り付けられた写真等により当該商品載置棚２１に載置する商品を認識することができ、商品の補充作業の簡易化を図ることができる。
【符号の説明】
【００４０】
１  店舗
２  店舗内売場
３  店舗内倉庫
１０  ケース本体
１１  前面開口
１２  後面開口
１３  枠体
２０  収納室
２１  商品載置棚
２２  棚支柱
２３  ブラケット部材
２４  棚板
２５  照明装置
２５ａ  光源
３０  通風路
３１  下側通風路
３２  上側通風路
３３  下部ファン
３４  上部ファン
３５  蒸発器
４０  後面扉（扉体）
４１  框体
４１４  開口部
４２  ハーフミラー部材
４２１  光透過性面材
４２２  ハーフミラー面
【図１】
2019216877.tif 000003
【図２】
2019216877.tif 000004
【図３】
2019216877.tif 000005
【図４】
2019216877.tif 000006
【図５】
2019216877.tif 000007
【図６】
2019216877.tif 000008